(57)【要約】【課題】  過大な操作力を必要とすることなく綴じ部材の開閉を行えるとともに、綴じ部材の閉塞操作に際して騒音が発生したり恐怖感を与えたりすることのない綴じ具を提供すること。【解決手段】  背表紙１１に固定されるベース１８と、このベースに回転可能に支持された二つの第１の綴じ部材１９と、当該第１の綴じ部材の先端部に合って閉ループを形成する二つの第２の綴じ部材２０とを備える。第１の綴じ部材と、第２の綴じ部材の各基部間は、第１の連結部材３０及び第２の連結部材３１を介して連結されている。各連結部材の間には開放手段３３，４０，５０が配置され、当該開放手段によって第１及び第２の綴じ部材による閉ループを解除する方向に力が付与されている。第１の綴じ部材と第２の綴じ部材をツイスト若しくは捻り操作することによってこれら部材の係り合いが解除されて第各先端部間が開放する方向に回転可能となっている。【選択図】          図８
2005001398.tif 000002
【特許請求の範囲】
【請求項１】
表紙体に取り付けられるベースに回転可能に支持された複数の第１の綴じ部材と、前記ベースに回転可能に支持されるとともに、前記第１の綴じ部材の各先端部に係り合って閉ループを形成する複数の第２の綴じ部材とを備えた綴じ具において、
前記第１の綴じ部材を前記ベース内で相互に連結する第１の連結部材と、前記第２の綴じ部材を前記ベース内で相互に連結する第２の連結部材と、これら各連結部材の領域内に配置されて前記閉ループを解除する方向に力を付与する開放手段とを備え、
前記閉ループをなす一組の第１の綴じ部材と第２の綴じ部材とをツイスト若しくは捻り操作することによって前記係り合いが解除されて第１及び第２の綴じ部材間が開放することを特徴とする綴じ具。
【請求項２】
表紙体に取り付けられるベースに回転可能に支持された複数の第１の綴じ部材と、前記ベースに回転可能に支持されるとともに、前記第１の綴じ部材の各先端部に係り合って閉ループを形成する複数の第２の綴じ部材とを備えた綴じ具において、
前記第１の綴じ部材を前記ベース内で相互に連結する第１の連結部材と、前記第２の綴じ部材を前記ベース内で相互に連結する第２の連結部材と、これら各連結部材を跨ぐように配置されて前記閉ループを解除する方向に力を付与する開放手段を備え、
前記閉ループをなす一組の第１の綴じ部材と第２の綴じ部材とをツイスト若しくは捻り操作することによって前記係り合いが解除されて第１及び第２の綴じ部材間が開放することを特徴とする綴じ具。
【請求項３】
前記請求項１又は２記載の綴じ具と、当該綴じ具が取り付けられる表紙体を具備していることを特徴とするファイル。
【発明の詳細な説明】
【技術分野】
【０００１】
本発明は、綴じ具に係り、更に詳しくは、閉ループを形成する第１及び第２の綴じ部材が開閉する方向に回転でき、且つ、軽い操作力で前記閉ループの解除を行なうことのできる綴じ具に関する。
【背景技術】
【０００２】
従来より、リングファイル等に用いられる綴じ具としては、ファイル等の背表紙若しくはこれの近傍に固定されるベースと、このベースの長手方向二箇所に設けられた一対の第１の綴じ部材と、これら第１の綴じ部材の反対側に位置して当該第１の綴じ部材の各先端部に突き当たる一対の第２の綴じ部材とにより構成されている。第１及び第２の綴じ部材は、それらの基部側が第１及び第２の連結板によってそれぞれ連結されており、これにより、第１の綴じ部材と第２の綴じ部材は、それぞれ開閉する方向に回転可能とされている。
【発明の開示】
【発明が解決しようとする課題】
【０００３】
しかしながら、前述した公知の綴じ具にあっては、綴じ部材が閉ループを形成した閉塞状態であるときに、前記第１及び第２の連結板が、各綴じ部材の閉塞状態を保つべく突っ張るように作用する構成となっている。そのため、綴じ部材を開放しようとする場合には、第１及び第２の綴じ部材の先端部間を強制的に開こうとする強い外力を綴じ部材に付与しなければならず、操作力に乏しい者による操作が困難になるという不都合がある。
【０００４】
この一方、綴じ部材を開放した状態から閉塞する状態に操作する場合には、綴じ部材が一定角度以上に閉塞方向に回転したときに、前記連結板の角度変位に伴うばね力が開放状態を維持すべく強く作用することで、綴じ部材が「パチン」という大きな音を発して閉塞する状態を惹起し、これが不快な騒音をもたらすばかりでなく、閉塞操作時に指を挟む恐怖感を使用者に与えてしまうという不都合もある。
【０００５】
［発明の目的］
本発明は、このような不都合に着目して案出されたものであり、その目的は、過大な操作力を必要とすることなく綴じ部材の開閉を行えるとともに、綴じ部材の閉塞操作に際して騒音が発生したり恐怖感を与えたりすることのない綴じ具を提供することにある。
【課題を解決するための手段】
【０００６】
前記目的を達成するため、本発明は、表紙体に取り付けられるベースに回転可能に支持された複数の第１の綴じ部材と、前記ベースに回転可能に支持されるとともに、前記第１の綴じ部材の各先端部に係り合って閉ループを形成する複数の第２の綴じ部材とを備えた綴じ具において、
前記第１の綴じ部材を前記ベース内で相互に連結する第１の連結部材と、前記第２の綴じ部材を前記ベース内で相互に連結する第２の連結部材と、これら各連結部材の領域内に配置されて前記閉ループを解除する方向に力を付与する開放手段とを備え、
前記閉ループをなす一組の第１の綴じ部材と第２の綴じ部材とをツイスト若しくは捻り操作することによって前記係り合いが解除されて第１及び第２の綴じ部材間が開放する、という構成を採っている。
【０００７】
また、本発明は、表紙体に取り付けられるベースに回転可能に支持された複数の第１の綴じ部材と、前記ベースに回転可能に支持されるとともに、前記第１の綴じ部材の各先端部に係り合って閉ループを形成する複数の第２の綴じ部材とを備えた綴じ具において、
前記第１の綴じ部材を前記ベース内で相互に連結する第１の連結部材と、前記第２の綴じ部材を前記ベース内で相互に連結する第２の連結部材と、これら各連結部材を跨ぐように配置されて前記閉ループを解除する方向に力を付与する開放手段を備え、
前記閉ループをなす一組の第１の綴じ部材と第２の綴じ部材とをツイスト若しくは捻り操作することによって前記係り合いが解除されて第１及び第２の綴じ部材間が開放する、という構成を採っている。
【０００８】
更に、本発明は、請求項１又は２記載に記載された綴じ具と、当該綴じ具が取り付けられる表紙体を具備することによりファイルを構成したものである。
【０００９】
本発明において、前記第１及び第２の連結部材は前記ベースに沿って延び、前記第１及び第２の綴じ部材が閉塞位置にあるときに、各連結部材の短寸幅方向における内側が外側よりも下方となる位置となり、前記第１及び第２の綴じ部材との係り合いを解除したときに、前記開放手段によって各連結部材の内側が外側よりも上方となる位置に変位して第１及び第２の綴じ部材間を開放する、という構成を採ることが好ましい。これにより、開放手段の力と連結部材の位置とが相互に作用して、第１及び第２の綴じ部材の閉塞位置と開放位置とを択一的に維持できるようになる。従って、開放状態とされた第１及び第２の綴じ部材がぶらついてしまうようなこともない。
【００１０】
また、前記開放手段はコイルばねにより構成され、当該コイルばねは、前記第１及び第２の連結部材の間に形成されたばね受け部に脱落不能に保持される、という構成を採るとよい。このような構成とすれば、コイルばねの組み立てを容易に行なうことができるとともに、当該コイルばねを常に一定の位置に保つことが可能となり、反復継続的な使用によって操作不良を生ずるおそれも防止することができる。
【００１１】
また、前記開放手段は板ばねにより構成され、当該板ばねは、前記第１及び第２の連結部材の間に延びて脱落不能に保持される、という構成を採るとよく、これによっても同様に板ばねを一定の位置に保ち、且つ、操作不良も効果的に防止することができる。
【００１２】
また、前記開放手段は線材により構成され、当該線材は、前記第１及び第２の連結部材を跨ぐように配置された第１の線材部分と、この第１の線材部分に連なるとともに、当該第１の線材部分に対して軸線向きが所定角度シフトした第２の線材部分とを備えて構成することができる。このような構成とすれば、線材の軸線向きを調整するだけでばね力を発揮させるように利用することができるとともに、当該線材の装着も容易に行うことができ、綴じ具の生産性を向上させることができる。
【００１３】
また、前記第２の線材は前記第１の連結部材又は第２の連結部材の領域内に略収まる形状若しくは大きさに設けられる、という構成を採ることが好ましい。
【００１４】
更に、前記線材は、前記ベースの幅方向に沿う仮想直線に対してベース長手方向に沿う略対称形状に設けられる、という構成を採っている。これにより、線材を開放手段として用いても前記閉ループを解除する方向への力が良好に分散した状態で発生するようになり、開放不良等を防止することができる。
【００１５】
また、前記線材は脱落防止構造を介して前記ベースに保持される、という構成を採っている。このような構成では、線材が不用意に移動してしまうようなことが無くなり、ばね力を安定した状態で発揮させることができる。
【００１６】
更に、前記第１及び第２の連結部材又は第１の綴じ部材若しくは第２の綴じ部材は、前記第１及び第２の綴じ部材の係り合いを解除する方向に力を付与したときに撓み変形して前記係り合いを解除可能とするように設けることが好ましい。これにより、前記係り合いを解除する際の操作力が過大に要求されることがなく、操作性に優れた綴じ具を提供することができる。特に、第１及び第２の連結部材を撓み変形させる構成とした場合には、綴じ部材を剛性を備えたものによって構成することもでき、耐久強度に優れた綴じ具とすることが可能となる。
【００１７】
また、前記第１及び第２の連結部材は、前記ベースに沿って延びる第１及び第２の連結板によって構成され、各連結板の長手方向に沿う端部外縁は、それらの幅を狭くする傾斜縁に形成される、という構成も採用することができる。このような構成により、各連結板の長手方向端部側領域が撓み易くなり、第１及び第２の綴じ部材の係り合いを解除する際の力を軽減することが可能となる。
【発明の効果】
【００１８】
本発明によれば、前記第１の綴じ部材又は第２の綴じ部材に対して、例えば、がま口の口縁部に設けられた二つの凸部の相互係り合いを解除する場合のように、ツイスト若しくは捻り操作することによって係り合いが解除され、開放手段によって綴じ部材が開放する方向に回転するようになる。従って、操作力を軽減した状態で綴じ部材を開放させることができる。この一方、綴じ部材を閉塞状態に操作するときは、前記開放手段による力の方向とは反対側に操作を行なうため、綴じ部材が閉ループを形成する閉塞状態となる際に、従来のような騒音を発生することがないとともに、勢いよく閉塞することを防止して恐怖感も解消することが可能となる。
【発明を実施するための最良の形態】
【００１９】
以下、本発明の実施例を図面を参照しながら説明する。
【００２０】
［第１実施例］
図１には、第１実施例に係る綴じ具がファイルに適用された場合の要部概略斜視図が示され、図２には、綴じ具の拡大斜視図が示されている。これらの図において、ファイル１０は、中間に背表紙１１を介して連なる表表紙１２及び裏表紙１３を備えた表紙体１４と、背表紙１１の内面に装着された綴じ具１５とを備えて構成されている。
【００２１】
前記綴じ具１５は、背表紙１１の上下（長手）方向に延びるとともに、当該背表紙１１の内面にリベット１７，１７を介して取り付けられたベース１８と、このベース１８の裏表紙１３側の端部にそれぞれ支持された一対の第１の綴じ部材１９，１９と、ベース１８の表表紙１２側の端部にそれぞれ支持されるとともに、第１の綴じ部材１９，１９の各先端部に係り合ってベース１８と共に閉ループを形成する一対の第２の綴じ部材２０，２０とを備えて構成されている。ここで、綴じ具１５を構成する各部材は、ステンレス等の金属材を用いて構成されている。
【００２２】
前記ベース１８は、図３ないし図１２にも示されるように、中央部が最大高さとなる湾曲形状とされて下部開放型に設けられている。このベース１８の長手方向両端側は段押しされて背表紙１１への取付面部２１，２１としてそれぞれ形成され、各取付面部２１，２１の面内略中央部にはリベット穴２２，２２（図５，図８参照）が形成されている。また、ベース１８の長手方向二箇所において、短寸幅方向に沿う両側には第１及び第２の綴じ部材１９，２０の基部側を通過させる四つのスロット穴２４が形成されている。各スロット穴２４は、図９に示されるように、ベース１８の短寸幅方向における中央部近傍から側端部に亘って形成されており、これにより、第１及び第２の綴じ部材１９，２０の回転角度が大きく確保されるようになっている。
【００２３】
前記第１の綴じ部材１９は、正面視略半円弧状に設けられる一方、第２の綴じ部材２０は、正面視略Ｕ字状に設けられ、各綴じ部材１９，２０の先端部間に設けられた係り合い部２７を介して閉ループとなる閉塞状態が保たれ、その係り合いを解除することによって各綴じ部材１９，２０の先端部間が開放可能に設けられている。係り合い部２７は、図８に示されるように、第１の綴じ部材１９の先端部に形成された外向き鈎状部２８と、第２の綴じ部材２０の先端部に形成されて前記外向き鈎状部２８に係り合い可能な内向き鈎状部２９とにより構成されている。係り合い部２７は、第１の綴じ部材１９，１９の先端部を相互に接近させるように図２中矢印Ｐ方向に向けられた操作力を付与したときに、第１の綴じ部材１９，１９の各先端部が第２の綴じ部材２０，２０に干渉することなく、且つ、第１の綴じ部材１９，１９は、その形状自体を略保った状態で、相互に接近する方向に傾斜可能に設けられている。
【００２４】
前記ベース１８の内部空間において、第１の綴じ部材１９，１９の各基部間には平面視方形の細長い板状をなす連結部材としての第１の連結板３０がベース１８の長手方向に沿って設けられているとともに、第２の綴じ部材２０，２０の各基部間にも略同様の形状をなす連結部材としての第２の連結板３１がベース１８の長手方向に沿って設けられ、これにより、各一対をなす第１の綴じ部材１９及び第２の綴じ部材２０が同時に回転できるようになっている。これら第１及び第２の連結板３０，３１は、第１及び第２の綴じ部材１９，２０の基部を貫通させてかしめることによって固定されている。また、第１及び第２の連結板３０，３１の短寸幅方向における外側はベース１８の短寸幅方向両端に形成されたかしめ部１８Ａによって脱落不能に保持されている。
【００２５】
前記第１及び第２の連結板３０，３１の短寸幅方向における内側となる内方端は相互に略突き合うように設けられており、この突き合わせ端部の中央部領域には、開放手段としてのコイルばね３３を脱落不能に保持するばね受け部としての切欠部３５が形成されている。この切欠部３５は、図６に拡大して示されるように、切欠部３５の内方に突出する突片３６を備えた形状をなし、この突片３６がコイルばね３３の各端部内に位置することにより当該コイルばね３３を脱落不能に保持するようになっている。また、第１及び第２の連結板３０，３１の突き合わせ端部には、当該連結部３０，３１の面位置に対して若干上方に位置するように段押しされた複数の小突片３７が形成されており、これら小突片３７が相対する突き合わせ端部上に乗るように組み合わせて第１及び第２の連結板３０，３１の面位置が規制されるようになっている。更に、第１及び第２の連結板３０，３１は、長手方向端部外縁が、それらの短寸方向幅を次第に狭くする傾斜縁３０Ａ，３１Ａとして形成され、これにより、各連結板３０，３１の長手方向端部側領域が撓み易くなっている。なお、第１及び第２の連結板３０，３１は、第１及び第２の綴じ部材１９，２０が閉塞しているときに、短寸幅方向における内側が外側よりも僅かに下方位置となる一方、第１及び第２の綴じ部材１９，２０が開放したときに、前記内側が外側よりも上方位置となって略へ字状に変位するように設けることができる。
【００２６】
前記コイルばね３３は、その一方の端部が第１の連結板３０上に乗るとともに他方の端部が第２の連結板３１上に乗るように配置されている。このコイルばね３３は、常時は第１及び第２の綴じ部材１９，２０が開放する方向、すなわち閉ループが解除される方向に力を付与するように設けられている。この際、コイルばね３３のばね力は、前記係り合い部２７における係り合い力よりは小さく設定されており、これにより、第１の綴じ部材１９，１９に対して前述した操作力を付与しない限り、第１及び第２の綴じ部材１９，２０による閉ループ、すなわち閉塞状態が維持され、不用意なる開放が行なわれないようになっている。
【００２７】
以上の構成において、第１及び第２の綴じ部材１９，２０がベース１８と共に閉ループを形成する閉塞状態からこれを解除して開放する場合には、第１の綴じ部材１９，１９の各先端部に、例えば親指と人差し指を跨ぐように掛け、両指を相互に接近させる方向（図２中矢印Ｐ方向）に操作力を付与して係り合い部２７，２７を解除すればよい。これにより、コイルばね３３のばね力が作用して第１及び第２の連結板３０，３１は、それらの内方端が上方に移動するように角度変位し（図７参照）、これに支持されている各綴じ部材１９，２０の先端部間が開放することとなる。なお、第１の綴じ部材１９，１９に対して前述した操作力を付与したときに、当該第１の綴じ部材１９，１９の基部領域における第１の連結板３０が撓み変形するとともに、第１の綴じ部材１９，１９の先端側が相互に接近するように僅かに傾斜し、これにより、第１の綴じ部材１９，１９の形状を略保ったまま当該第１の綴じ部材１９，１９が係り合いを解除すべく角度変位可能となっている。
【００２８】
この一方、第１及び第２の綴じ部材１９，２０による閉ループを形成して閉塞状態に戻す場合は、コイルばね３３のばね力に抗して第１及び第２の綴じ部材１９，２０の先端部を相互に接近させる方向に回転させればよい。これにより、各係り合い部２７，２７における外向き鈎状部２８及び内向き鈎状部２９が相互に滑りながら係り合って閉ループが形成される。
【００２９】
従って、このような第１実施例によれば、第１の綴じ部材１９に対して軽い操作力を付与するだけで第１の綴じ部材１９と第２の綴じ部材２０との閉塞状態を解除することができる一方、閉塞状態に戻すときに騒音を発するようなおそれを回避しつつ、滑らかなる係り合いを行なうことが可能となる。
【００３０】
次に、本発明の前記以外の実施例を、図１３ないし図１５を参照しながら説明する。なお、以下の説明において、前記実施例と同一若しくは同等の構成部分については同一符号を用いるものとし、説明を省略若しくは簡略にする。
【００３１】
［第２実施例］
この第２実施例は、前記コイルばね３３に代えて、板ばね４０を開放手段として採用したところに特徴を有する。すなわち、板ばね４０は、ベース１８の短寸幅方向に延びる略方形の金属板により構成されている。この板ばね４０は、第１及び第２の連結板３０，３１の突き合わせ端部間に設けられた切欠部３５に挿入されて内外に延びるとともに、その半分領域が第１の連結板３０の下面側に位置する一方、残り半分領域が第２の連結板３１の上面側に位置するように設けられている。この板ばね４０は、初期形状が、図１５に示されるように屈曲した形状をなし、第１及び第２の綴じ部材１９，２０を閉塞状態としたときに、図１４に示されるように、屈曲の向きを僅かに反転するようになっている。従って、板ばね４０は、第１及び第２の綴じ部材１９，２０を開放させる方向に力を付与している状態を保つようになり、前記実施例と同様に、第１の綴じ部材１９，１９を相互に接近させる操作力を付与したときに、直ちに閉塞状態を解除することとなる。
【００３２】
従って、このような第２実施例によっても第１実施例と同様の作用、効果を得ることができる他、第１実施例よりも組み立てを容易に行なうことができる。
【００３３】
なお、第２実施例では、板ばね４０が切欠部３５を通るように配置された場合を示したが、図１６に示されるように、板ばね４０の全体が第１及び第２の連結板３０，３１の外側に位置するように設けることもできる。この場合には、第１及び第２の連結板３０，３１間に切欠部３５を形成する必要はない。
【００３４】
［第３実施例］
図１７ないし図２３には、本発明の第３の実施例が示されている。この実施例は、開放手段として線材５０を用いた点に特徴を有する。この線材５０は、第１及び第２の連結板３０，３１の領域内に略収まる形状若しくは大きさとされて第１及び第２の連結板３０，３１の領域内に配置されている。これを更に詳述すると、図１８及び図１９（Ａ），（Ｂ）に示されるように、線材５０は、第１及び第２の連結板３０，３１を跨ぐように配置されるとともに、ベース１８の幅方向に沿う仮想中心直線Ｃに対し、ベース長手方向に沿って略対称位置となる第１の線材部分５１，５１と、これら第１の線材部分５１，５１の一端側すなわち図１８中左端側に中間部分５２，５２を介して連なるとともに、第１の線材部分５１の軸線に対して所定角度シフトした軸線向きとされ、且つ、前記中心直線Ｃに対して略対称位置となる第２の線材部分５３とにより構成されている。ここで、第２の線材部分５３は、相互に略平行に延びる内側線部５３Ａ，５３Ａと、これら内側線部５３Ａ，５３Ａ間を連結する連結線部５３Ｂとからなり、図１８に示されるように、連結線部５３Ｂが第１及び第２の連結板３０，３１の突き合わせ端部近傍に位置するように内側線部５３Ａ，５３Ａの軸長が第１の線部分５１の略半分程度の長さとされている。本実施例では、内側線部５３Ａ，５３Ａは、第２の連結板３１を幅方向に横切るように配置したときに、連結線部５３Ｂが第１の連結板３１の領域に僅かにかかる程度の長さに設定されている。
【００３５】
前記第１の線部分５１，５１において、前記中間部分５２，５２とは反対側の端部は屈曲部５１Ａ，５１Ａとされ、これらの屈曲部５１Ａ，５１Ａは、第１の連結板３０の外側端部に設けられた切欠部５６，５６内に受容されている。この一方、前記中間部分５２，５２は、それらの間において、かしめ部１８に設けられた部分的な段押し部５７で強く締め付け若しくは抱き込まれるようになっている。ここにおいて、前記屈曲部５１Ａ、切欠部５６及び段押し部５７により線材５０の脱落防止構造が図られている。
【００３６】
なお、前記線材５０は装着前の初期形状として、第１の線材部分５１，５１の屈曲部５１Ａ，５１Ａ間の幅Ｗ１が中間部分５２，５２側の幅Ｗ２よりも広くなる形状を備えたものが用いられている。線材５０を装着するときは、段押し部５７を予め形成した状態で、線材５０の中間部分５２，５２をかしめ部１８Ａ内にカチッと嵌るように押し込むと、第１の線材部分５１，５１が図１８中二点鎖線で示される位置で配置されることとなる。そして、第１の線材部分５１，５１を指先で摘んで矢印方向に移動させながら相互に略平行となるように作業することで、前記屈曲部５１Ａ，５１Ａを切欠部５６に受容させた装着が可能となる。
【００３７】
このような第３の実施例において、第１及び第２の連結板３０，３１の領域内に線材５０を装着して第１及び第２の綴じ部材１９，２０を閉塞させた状態では、図２０ないし図２３に示されるように、第２の線材部分５３が強制的に第１の線材と略同一平面上に位置するように押し下げられた状態となる。これと同時に、第１及び第２の連結板３０，３１の幅方向内側が外側よりも僅かに下方に位置して相互に突っ張り合う状態となる。ここで、第１の綴じ部材１９，１９を相互に接近させる方向に操作すると、第２の綴じ部材２０との係り合いが解除されると同時に、第２の線材部分５３が第１の線材部分５１に対して起き上がって初期形状に復帰しようとする。従って、当該復帰しようとする力によって第１及び第２の連結板３０，３１の各内側が外側よりも上方に変位して略へ字状に屈曲し、これにより、第１及び第２の綴じ部材１９，２０を開放させることが可能となる。
【００３８】
従って、このような第３実施例によっても、既述の実施例と同様の効果を得ることができる他、線材５０の装着作業を極めて容易且つ迅速に行えるという効果を得る。
【００３９】
以上のように、本発明を実施するための最良の構成、方法等は、前記記載で開示されているが、本発明は、これに限定されるものではない。
すなわち、本発明は、主に特定の実施例に関して特に図示し、且つ、説明されているが、本発明の技術的思想及び目的の範囲から逸脱することなく、以上説明した実施例に対し、形状、材質、数量、位置若しくは配置等に関して当業者が様々な変更を加えることができるものである。
従って、既に開示した形状等の限定をした記載は、本発明の理解を容易にするために例示的に示したものであり、本発明を限定するものではないから、それらの形状等の限定を一部若しくは全部の限定を外した部材の名称での記載は、本発明に含まれるものである。
【００４０】
例えば、前記各実施例では、第１の綴じ部材１９，１９を相互に接近させる方向に操作力を付与することによって閉塞状態を解除するように構成した場合を図示、説明したが、本発明はこれに限定されるものではない。すなわち、閉ループをなす一組の第１の綴じ部材１９と第２の綴じ部材２０とを、例えば、がま口の口縁部に設けられた二つの凸部の相互係り合いを解除する場合のように、ツイスト若しくは捻り操作することによって閉ループを解除するようにしてもよい。
【００４１】
また、前記第３実施例では、第２の線材部分５３における内側線部５３Ａが第１の線材部分５１よりも短い場合を示したが、図２４に示されるように、第１の線材部分５１の長さと同程度に設定してもよい。このような構成によっても、第１及び第２の綴じ部材１９，２０の係り合いを解除したときに、これらを開放させる方向に回転させることが可能となる。更に、線材５０は、ベース１８の長手方向中央部に配置したが、例えば、二つの線材５０を用い、前記長手方向に沿う二箇所に分散して配置する等の設計変更もできる。また、線材５０は、前記中心線Ｃに対して対称となる形状のものを用いたが、非対称のものを採用してもよい。
【００４２】
また、本発明は、第１及び第２の綴じ部材１９，２０が各一対となる合計四本としたが、更に本数を増やしてもよい。また、綴じ部材の本数を増やす場合において、増加した片側の綴じ部材の先端は、対応する反対側の綴じ部材の先端と突き合わされるような形状としておくこともでき、これにより、係り合いを解除する際に指先で操作すべき綴じ部材の数を増やすことなく綴じ部材を開放させることが可能となる。
【００４３】
更に、前記第３の実施例において、閉ループを解除する方向に力を付与する開放手段は、前記仮想中心線Ｃに対して略対称位置となる箇所に配置させた場合を図示、説明したが、これに限定されるものではなく、ベース１８の長手方向に沿う領域内に配置したり、互いに異なる複数の開放手段、例えば、コイルばね３３と線材５０とを同時に用いて配置することも本発明の概念に含まれる。
【図面の簡単な説明】
【００４４】
【図１】第１実施例に係る綴じ具がファイルに適用された場合の要部概略斜視図。
【図２】前記綴じ具の拡大概略斜視図。
【図３】図２の正面図。
【図４】綴じ具を開放状態としたときの正面図。
【図５】前記綴じ具の底面図。
【図６】コイルばねを省略した図５のａ部拡大図。
【図７】綴じ具を開放状態としたときの断面図。
【図８】綴じ具の平面図。
【図９】図８のＡ−Ａ線矢視拡大断面図。
【図１０】図８のＢ−Ｂ線矢視拡大断面図。
【図１１】図８のＣ−Ｃ線矢視拡大断面図。
【図１２】図８のＤ−Ｄ線矢視拡大断面図。
【図１３】第２実施例を示す綴じ具の底面図。
【図１４】図１３のＥ−Ｅ線矢視拡大断面図。
【図１５】図１４の状態から綴じ部材を開放した状態を示す断面図。
【図１６】第２実施例の変形例を示す綴じ具の底面図。
【図１７】第３実施例を示す綴じ具の底面図。
【図１８】図１７の一部を切り欠いて示す要部拡大図。
【図１９】（Ａ）は線材の平面図、（Ｂ）は線材の正面図。
【図２０】図１７のＦ−Ｆ線矢視拡大断面図。
【図２１】図２０の状態から綴じ部材を開放した状態を示す断面図。
【図２２】図１７のＧ−Ｇ線矢視拡大断面図。
【図２３】図２２の状態から綴じ部材を開放した状態を示す断面図。
【図２４】第３実施例の変形例を示す底面図。
【符号の説明】
【００４５】
１４  表紙体
１５  綴じ具
１８  ベース
１９  第１の綴じ部材
２０  第２の綴じ部材
２７  係り合い部
３０  第１の連結板
３１  第２の連結板
３３  コイルばね（開放手段）
４０  板ばね（開放手段）
５０  線材（開放手段）
【図１】
2005001398.tif 000003
【図２】
2005001398.tif 000004
【図３】
2005001398.tif 000005
【図４】
2005001398.tif 000006
【図５】
2005001398.tif 000007
【図６】
2005001398.tif 000008
【図７】
2005001398.tif 000009
【図８】
2005001398.tif 000010
【図９】
2005001398.tif 000011
【図１０】
2005001398.tif 000012
【図１１】
2005001398.tif 000013
【図１２】
2005001398.tif 000014
【図１３】
2005001398.tif 000015
【図１４】
2005001398.tif 000016
【図１５】
2005001398.tif 000017
【図１６】
2005001398.tif 000018
【図１７】
2005001398.tif 000019
【図１８】
2005001398.tif 000020
【図１９】
2005001398.tif 000021
【図２０】
2005001398.tif 000022
【図２１】
2005001398.tif 000023
【図２２】
2005001398.tif 000024
【図２３】
2005001398.tif 000025
【図２４】
2005001398.tif 000026